(57)【要約】【課題】  第１の構造体と第２の構造体が組み合わされてなる構造体について、その両者が予め定められた相対位置である場合であっても、また予め定められた相対位置でない場合であっても、その旨を非接触で遠隔位置から検出できるようにすることで、その両者が予め定められた相対位置とされているかどうかを検査するための時間と労力を大幅に減らすことができるようにする。【解決手段】  ふたＢがビンＡの口に最後までねじ込まれているときには、電極２ａ，２ｂと導電体３とは接触した状態となる。この時にＲＦタグ１のアンテナ１１がＲＦタグリーダ４からの質問波（情報要求を行う質問用電磁波）を受信すると、非接触検出回路１６は、接続部１６ｂ−１，１６ｂ−２間が導電体３を経由して通電していると認識する。逆に、ふたＢが緩んでいる、あるいはびんＡからとれているときには、接続部１６ｂ−１，１６ｂ−２間が導電体３を経由して通電していないと認識する。【選択図】  図５
2006139593.tif 000002
【特許請求の範囲】
【請求項１】
第１の構造体と第２の構造体が組み合わされてなる構造体における該第１の構造体と該第２の構造体との位置関係が予め定められた相対位置であるか否かを検出する相対位置検出システムであって、
前記第１の構造体に配設された導電体と、
前記第２の構造体に配設されて前記導電体に対して予め定められた相対位置であるか否かを検出する相対位置検出装置とを備えてなり、
前記相対位置検出装置は、当該相対位置検出装置からの情報を非接触で受信する非接触受信装置からのアクセスを受信すると検出結果を応答送信するアンテナ手段を備えたことを特徴とする相対位置検出システム。
【請求項２】
前記導電体は、前記第１の構造体と前記第２の構造体との位置関係が予め定められた相対位置となった時に前記相対位置検出装置によって検出されるよう配設されたことを特徴とする請求項１記載の相対位置検出システム。
【請求項３】
前記相対位置検出装置は、前記第１の構造体と前記第２の構造体との位置関係が予め定められた相対位置となった時に前記導電体に接触することで当該導電体を経由して通電できるよう配設された複数の端子部を備え、該複数の端子部間で該導電体を経由して予め定められた通電が行われることにより前記第１の構造体と前記第２の構造体との位置関係が予め定められた相対位置であることを検出することを特徴とする請求項２記載の相対位置検出システム。
【請求項４】
前記相対位置検出装置は、前記複数の端子部全ての間で相互に通電が行われた時に、前記予め定められた通電が行われたとして前記第１の構造体と前記第２の構造体との位置関係が予め定められた相対位置であることを検出することを特徴とする請求項３記載の相対位置検出システム。
【請求項５】
前記相対位置検出装置は、前記複数の端子部の少なくとも２つの間で通電が行われた時に、前記予め定められた通電が行われたとして前記第１の構造体と前記第２の構造体との位置関係が予め定められた相対位置であることを検出することを特徴とする請求項３記載の相対位置検出システム。
【請求項６】
前記相対位置検出装置は、前記導電体に対して予め定められた相対位置である状態から該相対位置でない状態に切り換えられた回数をカウントするカウント手段を備え、
前記アンテナ手段は、前記非接触受信装置からのアクセスを受信すると前記検出結果と共に前記カウント手段によるカウント数を応答送信することを特徴とする請求項１から５の何れか１項に記載の相対位置検出システム。
【請求項７】
前記相対位置検出装置は、前記導電体に対して予め定められた相対位置である状態と該相対位置でない状態とが切り換えられた回数をカウントするカウント手段を備え、
前記アンテナ手段は、前記非接触受信装置からのアクセスを受信すると前記検出結果と共に前記カウント手段によるカウント数を応答送信することを特徴とする請求項１から５の何れか１項に記載の相対位置検出システム。
【請求項８】
前記相対位置検出装置は、
前記カウント手段によるカウント数が増加された時刻を取得する時刻取得手段と、
前記時刻取得手段により取得された時刻を、当該時刻に増加されたカウント数に関連付けて格納する時刻格納手段と、を備えたことを特徴とする請求項６または７記載の相対位置検出システム。
【請求項９】
前記相対位置検出装置は、少なくとも前記カウント手段に動作用の電源を供給する電源手段を備えたことを特徴とする請求項６または７記載の相対位置検出システム。
【請求項１０】
前記相対位置検出装置は、少なくとも前記カウント手段と前記時刻取得手段とに動作用の電源を供給する電源手段を備えたことを特徴とする請求項８記載の相対位置検出システム。
【請求項１１】
前記アンテナ手段は、
前記非接触受信装置から前記相対位置検出装置に情報要求を行う質問用電磁波を受ける機能と、
該質問用電磁波に対して所定の情報を送信する応答用電磁波を送出する機能とを有することを特徴とする請求項１から１０の何れか１項に記載の相対位置検出システム。
【請求項１２】
前記第１の構造体および前記第２の構造体は、一方が空間のある構造体であり、他方が当該空間のある構造体内部を外部から遮蔽する遮蔽体であることを特徴とする請求項１から１１の何れか１項に記載の相対位置検出システム。
【請求項１３】
前記予め定められた相対位置とは、前記遮蔽体が前記空間のある構造体内部を外部から遮蔽する位置であることを特徴とする請求項１２記載の相対位置検出システム。
【請求項１４】
前記空間のある構造体とは容器本体であり、
前記遮蔽体とは該容器本体を密閉させる密閉手段であることを特徴とする請求項１２記載の相対位置検出システム。
【請求項１５】
前記予め定められた相対位置とは、前記密閉手段が前記容器本体を密閉する位置であることを特徴とする請求項１４記載の相対位置検出システム。
【請求項１６】
前記空間のある構造体とはビンであり、
前記遮蔽体とは該ビンのふたであることを特徴とする請求項１２記載の相対位置検出システム。
【請求項１７】
前記ふたは前記ビンの口にねじ込まれることで当該ビンの口を閉じる構造であり、
前記予め定められた相対位置とは、前記ふたが前記ビンの口に最後までねじ込まれた位置であることを特徴とする請求項１６記載の相対位置検出システム。
【請求項１８】
前記空間のある構造体とは箱本体であり、
前記遮蔽体とは該箱本体のふたであることを特徴とする請求項１２記載の相対位置検出システム。
【請求項１９】
前記予め定められた相対位置とは、前記ふたが前記箱の内部を外部から遮蔽する位置であることを特徴とする請求項１８記載の相対位置検出システム。
【請求項２０】
前記相対位置検出装置は、ＩＣタグおよび当該ＩＣタグに接続された複数の端子部を備えて構成されたことを特徴とする請求項１から１９の何れか１項に記載の相対位置検出システム。
【請求項２１】
第１の構造体と第２の構造体が組み合わされてなる構造体における該第１の構造体と該第２の構造体との位置関係が予め定められた相対位置であるか否かを検出する相対位置検出装置であって、
所定位置に配設された導電体に接触することで当該導電体との位置関係が予め定められた相対位置であることを検出するよう構成され、
前記相対位置検出装置からの情報を非接触で受信する非接触受信装置からのアクセスを受信すると検出結果を応答送信するアンテナ手段を備えたことを特徴とする相対位置検出装置。
【請求項２２】
前記第１の構造体と前記第２の構造体との位置関係が予め定められた相対位置となった時に前記導電体に接触することで当該導電体を経由して通電できるよう配設された複数の端子部を備え、該複数の端子部間で該導電体を経由して予め定められた通電が行われることにより前記第１の構造体と前記第２の構造体との位置関係が予め定められた相対位置であることを検出することを特徴とする請求項２１記載の相対位置検出装置。
【請求項２３】
前記複数の端子部全ての間で相互に通電が行われた時に、前記予め定められた通電が行われたとして前記第１の構造体と前記第２の構造体との位置関係が予め定められた相対位置であることを検出することを特徴とする請求項２２記載の相対位置検出装置。
【請求項２４】
前記相対位置検出装置は、前記複数の端子部の少なくとも２つの間で通電が行われた時に、前記予め定められた通電が行われたとして前記第１の構造体と前記第２の構造体との位置関係が予め定められた相対位置であることを検出することを特徴とする請求項２２記載の相対位置検出装置。
【請求項２５】
前記導電体に対して予め定められた相対位置である状態から該相対位置でない状態に切り換えられた回数をカウントするカウント手段を備え、
前記アンテナ手段は、前記非接触受信装置からのアクセスを受信すると前記検出結果と共に前記カウント手段によるカウント数を応答送信することを特徴とする請求項２１から２４の何れか１項に記載の相対位置検出装置。
【請求項２６】
前記導電体に対して予め定められた相対位置である状態と該相対位置でない状態とが切り換えられた回数をカウントするカウント手段を備え、
前記アンテナ手段は、前記非接触受信装置からのアクセスを受信すると前記検出結果と共に前記カウント手段によるカウント数を応答送信することを特徴とする請求項２１から２４の何れか１項に記載の相対位置検出装置。
【請求項２７】
前記カウント手段によるカウント数が増加された時刻を取得する時刻取得手段と、
前記時刻取得手段により取得された時刻を、当該時刻に増加されたカウント数に関連付けて格納する時刻格納手段と、を備えたことを特徴とする請求項２５または２６記載の相対位置検出装置。
【請求項２８】
少なくとも前記カウント手段に動作用の電源を供給する電源手段を備えたことを特徴とする請求項２５または２６記載の相対位置検出装置。
【請求項２９】
少なくとも前記カウント手段と前記時刻取得手段とに動作用の電源を供給する電源手段を備えたことを特徴とする請求項２７記載の相対位置検出装置。
【請求項３０】
前記アンテナ手段は、
前記非接触受信装置から前記相対位置検出装置に情報要求を行う質問用電磁波を受ける機能と、
該質問用電磁波に対して所定の情報を送信する応答用電磁波を送出する機能とを有することを特徴とする請求項２１から２９の何れか１項に記載の相対位置検出装置。
【請求項３１】
前記第１の構造体および前記第２の構造体は、一方が空間のある構造体であり、他方が当該空間のある構造体内部を外部から遮蔽する遮蔽体であることを特徴とする請求項２１から３０の何れか１項に記載の相対位置検出装置。
【請求項３２】
前記予め定められた相対位置とは、前記遮蔽体が前記空間のある構造体内部を外部から遮蔽する位置であることを特徴とする請求項３１記載の相対位置検出装置。
【請求項３３】
前記空間のある構造体とは容器本体であり、
前記遮蔽体とは該容器本体を密閉させる密閉手段であることを特徴とする請求項３１記載の相対位置検出装置。
【請求項３４】
前記予め定められた相対位置とは、前記密閉手段が前記容器本体を密閉する位置であることを特徴とする請求項３３記載の相対位置検出装置。
【請求項３５】
前記空間のある構造体とはビンであり、
前記遮蔽体とは該ビンのふたであることを特徴とする請求項３１記載の相対位置検出装置。
【請求項３６】
前記ふたは前記ビンの口にねじ込まれることで当該ビンの口を閉じる構造であり、
前記予め定められた相対位置とは、前記ふたが前記ビンの口に最後までねじ込まれた位置であることを特徴とする請求項３５記載の相対位置検出装置。
【請求項３７】
前記空間のある構造体とは箱本体であり、
前記遮蔽体とは該箱本体のふたであることを特徴とする請求項３１記載の相対位置検出装置。
【請求項３８】
前記予め定められた相対位置とは、前記ふたが前記箱の内部を外部から遮蔽する位置であることを特徴とする請求項３７記載の相対位置検出装置。
【請求項３９】
前記相対位置検出装置は、ＩＣタグおよび当該ＩＣタグに接続された複数の端子部を備えて構成されたことを特徴とする請求項２１から３８の何れか１項に記載の相対位置検出装置。
【請求項４０】
第１の構造体と第２の構造体が組み合わされてなる構造体における該第１の構造体と該第２の構造体との位置関係が予め定められた相対位置であるか否かを検出する相対位置検出システムに用いられる導電体であって、
前記第１の構造体と前記第２の構造体との位置関係が予め定められた相対位置となった時に当該相対位置であることを検出する相対位置検出装置によって検出されるよう配設されたことを特徴とする導電体。
【請求項４１】
前記相対位置検出装置は、前記第１の構造体と前記第２の構造体との位置関係が予め定められた相対位置となった時に前記導電体に接触することで当該導電体を経由して通電できるよう配設された複数の端子部を備え、該複数の端子部間で該導電体を経由して予め定められた通電が行われることにより前記第１の構造体と前記第２の構造体との位置関係が予め定められた相対位置であることを検出することを特徴とする請求項４０記載の導電体。
【請求項４２】
前記相対位置検出装置は、前記複数の端子部全ての間で相互に通電が行われた時に、前記予め定められた通電が行われたとして前記第１の構造体と前記第２の構造体との位置関係が予め定められた相対位置であることを検出することを特徴とする請求項４１記載の導電体。
【請求項４３】
前記相対位置検出装置は、前記複数の端子部の少なくとも２つの間で通電が行われた時に、前記予め定められた通電が行われたとして前記第１の構造体と前記第２の構造体との位置関係が予め定められた相対位置であることを検出することを特徴とする請求項４１記載の導電体。
【請求項４４】
前記第１の構造体および前記第２の構造体は、一方が空間のある構造体であり、他方が当該空間のある構造体内部を外部から遮蔽する遮蔽体であることを特徴とする請求項４０から４３の何れか１項に記載の導電体。
【請求項４５】
前記予め定められた相対位置とは、前記遮蔽体が前記空間のある構造体内部を外部から遮蔽する位置であることを特徴とする請求項４４記載の導電体。
【請求項４６】
前記空間のある構造体とは容器本体であり、
前記遮蔽体とは該容器本体を密閉させる密閉手段であることを特徴とする請求項４４記載の導電体。
【請求項４７】
前記予め定められた相対位置とは、前記密閉手段が前記容器本体を密閉する位置であることを特徴とする請求項４６記載の導電体。
【請求項４８】
前記空間のある構造体とはビンであり、
前記遮蔽体とは該ビンのふたであることを特徴とする請求項４４記載の導電体。
【請求項４９】
前記ふたは前記ビンの口にねじ込まれることで当該ビンの口を閉じる構造であり、
前記予め定められた相対位置とは、前記ふたが前記ビンの口に最後までねじ込まれた位置であることを特徴とする請求項４８記載の導電体。
【請求項５０】
前記空間のある構造体とは箱本体であり、
前記遮蔽体とは該箱本体のふたであることを特徴とする請求項４４記載の導電体。
【請求項５１】
前記予め定められた相対位置とは、前記ふたが前記箱の内部を外部から遮蔽する位置であることを特徴とする請求項５０記載の導電体。
【請求項５２】
前記相対位置検出装置は、ＩＣタグおよび当該ＩＣタグに接続された複数の端子部を備えて構成されたことを特徴とする請求項４０から５１の何れか１項に記載の導電体。
【請求項５３】
第１の構造体と第２の構造体が組み合わされてなる構造体における該第１の構造体と該第２の構造体との位置関係が予め定められた相対位置であるか否かを検出する相対位置検出方法であって、
前記第１の構造体に配設された導電体に対して予め定められた相対位置であるか否かを前記第２の構造体に配設された相対位置検出装置が検出する検出工程と、
情報を非接触で受信する非接触受信装置からのアクセスを受信すると前記相対位置検出装置が検出結果を応答送信する応答送信工程とを備えたことを特徴とする相対位置検出方法。
【請求項５４】
前記導電体は、前記第１の構造体と前記第２の構造体との位置関係が予め定められた相対位置となった時に前記検出工程で検出されるよう配設されたことを特徴とする請求項５３記載の相対位置検出方法。
【請求項５５】
前記相対位置検出装置は、前記第１の構造体と前記第２の構造体との位置関係が予め定められた相対位置となった時に前記導電体に接触することで当該導電体を経由して通電できるよう配設された複数の端子部を備え、
前記検出工程では、該複数の端子部間で該導電体を経由して予め定められた通電が行われることにより前記検出を行うことを特徴とする請求項５４記載の相対位置検出方法。
【請求項５６】
前記検出工程では、前記複数の端子部全ての間で相互に通電が行われた時に、前記予め定められた通電が行われたとして前記検出を行うことを特徴とする請求項５５記載の相対位置検出方法。
【請求項５７】
前記検出工程では、前記複数の端子部の少なくとも２つの間で通電が行われた時に、前記予め定められた通電が行われたとして前記検出を行うことを特徴とする請求項５５記載の相対位置検出方法。
【請求項５８】
前記導電体に対して前記相対位置検出装置が予め定められた相対位置である状態から該相対位置でない状態に切り換えられた回数をカウントするカウント工程を備え、
前記応答送信工程では、前記非接触受信装置からのアクセスを受信すると前記検出結果と共に前記カウント工程によるカウント数を応答送信することを特徴とする請求項５３から５７の何れか１項に記載の相対位置検出方法。
【請求項５９】
前記導電体に対して前記相対位置検出装置が予め定められた相対位置である状態と、該相対位置でない状態とが切り換えられた回数をカウントするカウント工程を備え、
前記応答送信工程では、前記非接触受信装置からのアクセスを受信すると前記検出結果と共に前記カウント工程によるカウント数を応答送信することを特徴とする請求項５３から５７の何れか１項に記載の相対位置検出方法。
【請求項６０】
前記カウント工程によるカウント数が増加された時刻を取得する時刻取得工程と、
前記時刻取得工程により取得された時刻を、当該時刻に増加されたカウント数に関連付けて格納する時刻格納工程と、を備えたことを特徴とする請求項５８または５９記載の相対位置検出方法。
【請求項６１】
前記相対位置検出装置は、少なくとも前記カウント工程での動作用の電源を供給する電源手段を備えたことを特徴とする請求項５８または５９記載の相対位置検出方法。
【請求項６２】
前記相対位置検出装置は、少なくとも前記カウント工程と前記時刻取得工程とでの動作用の電源を供給する電源手段を備えたことを特徴とする請求項６０記載の相対位置検出方法。
【請求項６３】
前記応答送信工程では、前記相対位置検出装置が前記非接触受信装置から情報要求を行う質問用電磁波を受けると共に、該質問用電磁波に対して所定の情報を送信する応答用電磁波を送出することを特徴とする請求項５３から６２の何れか１項に記載の相対位置検出方法。
【請求項６４】
前記第１の構造体および前記第２の構造体は、一方が空間のある構造体であり、他方が当該空間のある構造体内部を外部から遮蔽する遮蔽体であることを特徴とする請求項５３から６３の何れか１項に記載の相対位置検出方法。
【請求項６５】
前記予め定められた相対位置とは、前記遮蔽体が前記空間のある構造体内部を外部から遮蔽する位置であることを特徴とする請求項６４記載の相対位置検出方法。
【請求項６６】
前記空間のある構造体とは容器本体であり、
前記遮蔽体とは該容器本体を密閉させる密閉手段であることを特徴とする請求項６４記載の相対位置検出方法。
【請求項６７】
前記予め定められた相対位置とは、前記密閉手段が前記容器本体を密閉する位置であることを特徴とする請求項６６記載の相対位置検出方法。
【請求項６８】
前記空間のある構造体とはビンであり、
前記遮蔽体とは該ビンのふたであることを特徴とする請求項６４記載の相対位置検出方法。
【請求項６９】
前記ふたは前記ビンの口にねじ込まれることで当該ビンの口を閉じる構造であり、
前記予め定められた相対位置とは、前記ふたが前記ビンの口に最後までねじ込まれた位置であることを特徴とする請求項６８記載の相対位置検出方法。
【請求項７０】
前記空間のある構造体とは箱本体であり、
前記遮蔽体とは該箱本体のふたであることを特徴とする請求項６４記載の相対位置検出方法。
【請求項７１】
前記予め定められた相対位置とは、前記ふたが前記箱の内部を外部から遮蔽する位置であることを特徴とする請求項７０記載の相対位置検出方法。
【請求項７２】
前記相対位置検出装置は、ＩＣタグおよび当該ＩＣタグに接続された複数の端子部を備えて構成されたことを特徴とする請求項５３から７１の何れか１項に記載の相対位置検出方法。
【発明の詳細な説明】
【技術分野】
【０００１】
本発明は、第１の構造体と第２の構造体が予め定められた相対位置であるか否かを検出するための相対位置検出システム、装置、方法、および導電体に関する。
【背景技術】
【０００２】
従来より、例えば箱やビンとそのふたなど、第１の構造体と第２の構造体が組み合わされてなる構造体について、その両者が予め定められた相対位置にきちんと戻されているか、あるいは製品として出荷される際にきちんと予め定められた相対位置とされているか、といったことの検査は、人が手作業で行っていた。
【０００３】
また、特許文献１の「非接触ＩＣタグ付き収納箱」では、箱にＩＣチップとアンテナを備え、ふたの開閉によってアンテナとＩＣチップとを接続する回路が開閉されるよう構成している。
【特許文献１】特開２００２−２３４５４２号公報
【発明の開示】
【発明が解決しようとする課題】
【０００４】
しかしながら、上述した従来の人の手作業による検査では、検査対象の数が多い場合に多くの時間と労力を費やしてしまっていた。
【０００５】
また、上述した特許文献１のものは、ふたが閉じられた時にアンテナとＩＣチップとを接続する回路が閉じられてＩＣタグリーダの無線に反応するように意図した好適なものであるが、ふたが開かれている状態ではＩＣタグリーダの無線に反応することができず、従って検査対象が存在しないのか、あるいはＩＣチップが故障しているのか、といったこととの区別ができないものであった。
【０００６】
本発明はこのような状況に鑑みてなされたものであり、第１の構造体と第２の構造体が組み合わされてなる構造体について、その両者が予め定められた相対位置である場合であっても、また予め定められた相対位置でない場合であっても、その旨を非接触で遠隔位置から検出できるようにすることで、その両者が予め定められた相対位置とされているかどうかを検査するための時間と労力を大幅に減らすことができる相対位置検出システム、装置、方法、および導電体を提供することを目的とする。
【課題を解決するための手段】
【０００７】
かかる目的を達成するために、本発明の第１の態様としての相対位置検出システムは、第１の構造体と第２の構造体が組み合わされてなる構造体における該第１の構造体と該第２の構造体との位置関係が予め定められた相対位置であるか否かを検出する相対位置検出システムであって、第１の構造体に配設された導電体と、第２の構造体に配設されて導電体に対して予め定められた相対位置であるか否かを検出する相対位置検出装置とを備えてなり、相対位置検出装置は、当該相対位置検出装置からの情報を非接触で受信する非接触受信装置からのアクセスを受信すると検出結果を応答送信するアンテナ手段を備えたことを特徴とする。
【０００８】
上記した導電体は、第１の構造体と第２の構造体との位置関係が予め定められた相対位置となった時に相対位置検出装置によって検出されるよう配設されることが好ましい。
【０００９】
上記した相対位置検出装置は、第１の構造体と第２の構造体との位置関係が予め定められた相対位置となった時に導電体に接触することで当該導電体を経由して通電できるよう配設された複数の端子部を備え、該複数の端子部間で該導電体を経由して予め定められた通電が行われることにより第１の構造体と第２の構造体との位置関係が予め定められた相対位置であることを検出することが好ましい。
【００１０】
上記した相対位置検出装置は、複数の端子部全ての間で相互に通電が行われた時に、予め定められた通電が行われたとして第１の構造体と第２の構造体との位置関係が予め定められた相対位置であることを検出することが好ましい。
【００１１】
上記した相対位置検出装置は、複数の端子部の少なくとも２つの間で通電が行われた時に、予め定められた通電が行われたとして第１の構造体と第２の構造体との位置関係が予め定められた相対位置であることを検出することであってもよい。
【００１２】
上記した相対位置検出装置は、導電体に対して予め定められた相対位置である状態から該相対位置でない状態に切り換えられた回数をカウントするカウント手段を備え、上記したアンテナ手段は、非接触受信装置からのアクセスを受信すると検出結果と共にカウント手段によるカウント数を応答送信することが好ましい。
【００１３】
上記した相対位置検出装置は、導電体に対して予め定められた相対位置である状態と該相対位置でない状態とが切り換えられた回数をカウントするカウント手段を備え、上記したアンテナ手段は、非接触受信装置からのアクセスを受信すると検出結果と共にカウント手段によるカウント数を応答送信することであってもよい。
【００１４】
上記した相対位置検出装置は、カウント手段によるカウント数が増加された時刻を取得する時刻取得手段と、時刻取得手段により取得された時刻を、当該時刻に増加されたカウント数に関連付けて格納する時刻格納手段と、を備えることが好ましい。
【００１５】
上記した相対位置検出装置は、少なくともカウント手段に動作用の電源を供給する電源手段を備えることが好ましい。
【００１６】
上記した相対位置検出装置は、少なくともカウント手段と時刻取得手段とに動作用の電源を供給する電源手段を備えることであってもよい。
【００１７】
上記したアンテナ手段は、非接触受信装置から相対位置検出装置に情報要求を行う質問用電磁波を受ける機能と、該質問用電磁波に対して所定の情報を送信する応答用電磁波を送出する機能とを有することが好ましい。
【００１８】
上記した第１の構造体および第２の構造体は、一方が空間のある構造体であり、他方が当該空間のある構造体内部を外部から遮蔽する遮蔽体であることが好ましい。
上記した予め定められた相対位置とは、遮蔽体が空間のある構造体内部を外部から遮蔽する位置であることが好ましい。
【００１９】
上記した空間のある構造体とは容器本体であり、上記した遮蔽体とは該容器本体を密閉させる密閉手段であることが好ましい。
上記した予め定められた相対位置とは、密閉手段が容器本体を密閉する位置であることが好ましい。
【００２０】
上記した空間のある構造体とはビンであり、上記した遮蔽体とは該ビンのふたであってもよい。
上記したふたはビンの口にねじ込まれることで当該ビンの口を閉じる構造であり、上記した予め定められた相対位置とは、ふたがビンの口に最後までねじ込まれた位置であることが好ましい。
【００２１】
上記した空間のある構造体とは箱本体であり、上記した遮蔽体とは該箱本体のふたであってもよい。
上記した予め定められた相対位置とは、ふたが箱の内部を外部から遮蔽する位置であることが好ましい。
【００２２】
上記した相対位置検出装置は、ＩＣタグおよび当該ＩＣタグに接続された複数の端子部を備えて構成されることが好ましい。
【００２３】
また、本発明の第２の態様としての相対位置検出装置は、第１の構造体と第２の構造体が組み合わされてなる構造体における該第１の構造体と該第２の構造体との位置関係が予め定められた相対位置であるか否かを検出する相対位置検出装置であって、所定位置に配設された導電体に接触することで当該導電体との位置関係が予め定められた相対位置であることを検出するよう構成され、相対位置検出装置からの情報を非接触で受信する非接触受信装置からのアクセスを受信すると検出結果を応答送信するアンテナ手段を備えたことを特徴とする。
【００２４】
上記した第１の構造体と第２の構造体との位置関係が予め定められた相対位置となった時に導電体に接触することで当該導電体を経由して通電できるよう配設された複数の端子部を備え、該複数の端子部間で該導電体を経由して予め定められた通電が行われることにより第１の構造体と第２の構造体との位置関係が予め定められた相対位置であることを検出することが好ましい。
【００２５】
上記した複数の端子部全ての間で相互に通電が行われた時に、予め定められた通電が行われたとして第１の構造体と第２の構造体との位置関係が予め定められた相対位置であることを検出することが好ましい。
【００２６】
上記した相対位置検出装置は、複数の端子部の少なくとも２つの間で通電が行われた時に、予め定められた通電が行われたとして第１の構造体と第２の構造体との位置関係が予め定められた相対位置であることを検出することであってもよい。
【００２７】
上記した導電体に対して予め定められた相対位置である状態から該相対位置でない状態に切り換えられた回数をカウントするカウント手段を備え、上記したアンテナ手段は、非接触受信装置からのアクセスを受信すると検出結果と共にカウント手段によるカウント数を応答送信することが好ましい。
【００２８】
上記した導電体に対して予め定められた相対位置である状態と該相対位置でない状態とが切り換えられた回数をカウントするカウント手段を備え、上記したアンテナ手段は、非接触受信装置からのアクセスを受信すると検出結果と共にカウント手段によるカウント数を応答送信することであってもよい。
【００２９】
上記したカウント手段によるカウント数が増加された時刻を取得する時刻取得手段と、時刻取得手段により取得された時刻を、当該時刻に増加されたカウント数に関連付けて格納する時刻格納手段と、を備えることが好ましい。
【００３０】
少なくとも上記したカウント手段に動作用の電源を供給する電源手段を備えることが好ましい。
【００３１】
少なくとも上記したカウント手段と時刻取得手段とに動作用の電源を供給する電源手段を備えることであってもよい。
【００３２】
上記したアンテナ手段は、非接触受信装置から相対位置検出装置に情報要求を行う質問用電磁波を受ける機能と、該質問用電磁波に対して所定の情報を送信する応答用電磁波を送出する機能とを有することが好ましい。
【００３３】
上記した第１の構造体および第２の構造体は、一方が空間のある構造体であり、他方が当該空間のある構造体内部を外部から遮蔽する遮蔽体であることが好ましい。
上記した予め定められた相対位置とは、遮蔽体が空間のある構造体内部を外部から遮蔽する位置であることが好ましい。
【００３４】
上記した空間のある構造体とは容器本体であり、上記した遮蔽体とは該容器本体を密閉させる密閉手段であることが好ましい。
上記した予め定められた相対位置とは、密閉手段が容器本体を密閉する位置であることが好ましい。
【００３５】
上記した空間のある構造体とはビンであり、上記した遮蔽体とは該ビンのふたであってもよい。
上記したふたはビンの口にねじ込まれることで当該ビンの口を閉じる構造であり、上記した予め定められた相対位置とは、ふたがビンの口に最後までねじ込まれた位置であることが好ましい。
【００３６】
上記した空間のある構造体とは箱本体であり、上記した遮蔽体とは該箱本体のふたであってもよい。
上記した予め定められた相対位置とは、ふたが箱の内部を外部から遮蔽する位置であることが好ましい。
【００３７】
上記した相対位置検出装置は、ＩＣタグおよび当該ＩＣタグに接続された複数の端子部を備えて構成されることが好ましい。
【００３８】
また、本発明の第３の態様としての導電体は、第１の構造体と第２の構造体が組み合わされてなる構造体における該第１の構造体と該第２の構造体との位置関係が予め定められた相対位置であるか否かを検出する相対位置検出システムに用いられる導電体であって、第１の構造体と第２の構造体との位置関係が予め定められた相対位置となった時に当該相対位置であることを検出する相対位置検出装置によって検出されるよう配設されたことを特徴とする。
【００３９】
上記した相対位置検出装置は、第１の構造体と第２の構造体との位置関係が予め定められた相対位置となった時に導電体に接触することで当該導電体を経由して通電できるよう配設された複数の端子部を備え、該複数の端子部間で該導電体を経由して予め定められた通電が行われることにより第１の構造体と第２の構造体との位置関係が予め定められた相対位置であることを検出することが好ましい。
【００４０】
上記した相対位置検出装置は、複数の端子部全ての間で相互に通電が行われた時に、予め定められた通電が行われたとして第１の構造体と第２の構造体との位置関係が予め定められた相対位置であることを検出することが好ましい。
【００４１】
上記した相対位置検出装置は、複数の端子部の少なくとも２つの間で通電が行われた時に、予め定められた通電が行われたとして第１の構造体と第２の構造体との位置関係が予め定められた相対位置であることを検出することであってもよい。
【００４２】
上記した第１の構造体および第２の構造体は、一方が空間のある構造体であり、他方が当該空間のある構造体内部を外部から遮蔽する遮蔽体であることが好ましい。
【００４３】
上記した予め定められた相対位置とは、遮蔽体が空間のある構造体内部を外部から遮蔽する位置であることが好ましい。
【００４４】
上記した空間のある構造体とは容器本体であり、上記した遮蔽体とは該容器本体を密閉させる密閉手段であることが好ましい。
上記した予め定められた相対位置とは、密閉手段が容器本体を密閉する位置であることが好ましい。
【００４５】
上記した空間のある構造体とはビンであり、上記した遮蔽体とは該ビンのふたであってもよい。
ふたはビンの口にねじ込まれることで当該ビンの口を閉じる構造であり、予め定められた相対位置とは、ふたがビンの口に最後までねじ込まれた位置であることが好ましい。
【００４６】
上記した空間のある構造体とは箱本体であり、上記した遮蔽体とは該箱本体のふたであってもよい。
上記した予め定められた相対位置とは、ふたが箱の内部を外部から遮蔽する位置であることが好ましい。
【００４７】
上記した相対位置検出装置は、ＩＣタグおよび当該ＩＣタグに接続された複数の端子部を備えて構成されることが好ましい。
【００４８】
また、本発明の第４の態様としての相対位置検出方法は、第１の構造体と第２の構造体が組み合わされてなる構造体における該第１の構造体と該第２の構造体との位置関係が予め定められた相対位置であるか否かを検出する相対位置検出方法であって、第１の構造体に配設された導電体に対して予め定められた相対位置であるか否かを第２の構造体に配設された相対位置検出装置が検出する検出工程と、情報を非接触で受信する非接触受信装置からのアクセスを受信すると相対位置検出装置が検出結果を応答送信する応答送信工程とを備えたことを特徴とする。
【００４９】
上記した導電体は、第１の構造体と第２の構造体との位置関係が予め定められた相対位置となった時に検出工程で検出されるよう配設されることが好ましい。
【００５０】
上記した相対位置検出装置は、第１の構造体と第２の構造体との位置関係が予め定められた相対位置となった時に導電体に接触することで当該導電体を経由して通電できるよう配設された複数の端子部を備え、上記した検出工程では、該複数の端子部間で該導電体を経由して予め定められた通電が行われることにより検出を行うことが好ましい。
【００５１】
上記した検出工程では、複数の端子部全ての間で相互に通電が行われた時に、予め定められた通電が行われたとして検出を行うことが好ましい。
【００５２】
上記した検出工程では、複数の端子部の少なくとも２つの間で通電が行われた時に、予め定められた通電が行われたとして検出を行うことであってもよい。
【００５３】
上記した導電体に対して相対位置検出装置が予め定められた相対位置である状態から該相対位置でない状態に切り換えられた回数をカウントするカウント工程を備え、上記した応答送信工程では、非接触受信装置からのアクセスを受信すると検出結果と共にカウント工程によるカウント数を応答送信することが好ましい。
【００５４】
上記した導電体に対して相対位置検出装置が予め定められた相対位置である状態と、該相対位置でない状態とが切り換えられた回数をカウントするカウント工程を備え、上記した応答送信工程では、非接触受信装置からのアクセスを受信すると検出結果と共にカウント工程によるカウント数を応答送信することであってもよい。
【００５５】
上記したカウント工程によるカウント数が増加された時刻を取得する時刻取得工程と、時刻取得工程により取得された時刻を、当該時刻に増加されたカウント数に関連付けて格納する時刻格納工程と、を備えることが好ましい。
【００５６】
上記した相対位置検出装置は、少なくともカウント工程での動作用の電源を供給する電源手段を備えることが好ましい。
【００５７】
上記した相対位置検出装置は、少なくともカウント工程と時刻取得工程とでの動作用の電源を供給する電源手段を備えたことであってもよい。
【００５８】
上記した応答送信工程では、相対位置検出装置が非接触受信装置から情報要求を行う質問用電磁波を受けると共に、該質問用電磁波に対して所定の情報を送信する応答用電磁波を送出することが好ましい。
【００５９】
上記した第１の構造体および第２の構造体は、一方が空間のある構造体であり、他方が当該空間のある構造体内部を外部から遮蔽する遮蔽体であることが好ましい。
上記した予め定められた相対位置とは、遮蔽体が空間のある構造体内部を外部から遮蔽する位置であることが好ましい。
【００６０】
上記した空間のある構造体とは容器本体であり、上記した遮蔽体とは該容器本体を密閉させる密閉手段であることが好ましい。
上記した予め定められた相対位置とは、密閉手段が容器本体を密閉する位置であることが好ましい。
【００６１】
上記した空間のある構造体とはビンであり、上記した遮蔽体とは該ビンのふたであってもよい。
上記したふたはビンの口にねじ込まれることで当該ビンの口を閉じる構造であり、上記した予め定められた相対位置とは、ふたがビンの口に最後までねじ込まれた位置であることが好ましい。
【００６２】
上記した空間のある構造体とは箱本体であり、上記した遮蔽体とは該箱本体のふたであってもよい。
上記した予め定められた相対位置とは、ふたが箱の内部を外部から遮蔽する位置であることが好ましい。
【００６３】
上記した相対位置検出装置は、ＩＣタグおよび当該ＩＣタグに接続された複数の端子部を備えて構成されることが好ましい。
【発明の効果】
【００６４】
以上のように、本発明によれば、第１の構造体と第２の構造体が組み合わされてなる構造体について、その両者が予め定められた相対位置である場合であっても、また予め定められた相対位置でない場合であっても、その旨を非接触で遠隔位置から検出できるようにすることで、その両者が予め定められた相対位置とされているかどうかを検査するための時間と労力を大幅に減らすことができる。
【発明を実施するための最良の形態】
【００６５】
次に、本発明に係る相対位置検出システム、装置、方法、および導電体を、密閉可能なビンの口またはふたにＲＦタグを配設した構成に適用した一実施形態について、図面を用いて詳細に説明する。
まず、各実施形態に共通する概要について説明する。
【００６６】
本発明の実施形態では、第１の構造体と第２の構造体とが組み合わされてなる物体の一方にＲＦタグ（radio frequency identification）が配設され、もう一方に導電体が配設される。ここで、１つの導電体を設けた対象物（構造体）に対して複数のＲＦタグを設置した対象物に適用することもできる。２つの対象物が接触している場合には、ＲＦタグに接続された複数の電極間で導電体３を経由して通電することにより、接触していると認識する。一方、物体が非接触の場合には、ＲＦタグに接続された複数の電極間で通電しないため、非接触であると認識する。
【００６７】
〔第１の実施形態〕
本発明の第１の実施形態としての相対位置検出システムについて、本ＲＦタグをびんとそのふたに用いた接触状態検出方法として説明する。
なお、ここでは、びんとそのふたを対象として発明の説明をするが、発明の適用対象はびんに限らず、ペットボトル、その他のプラスチックケースなど、接触状態を検出したい物体全てに適用できる。
【００６８】
本実施形態としての相対位置検出システムは、図１から図３に示すように、ビンのふたＢ内に配設されたＲＦタグ（ＩＣタグ）１と、ＲＦタグ１に導線を介して接続された電極（端子部）２と、ビン（容器本体）Ａに配設された導電体３とを備えて構成される。
ビンのふたＢは、ビンＡの口にねじ込まれることでビンＡの口を閉じる構造であり、そのビンＡの口に最後までねじ込まれることでビンＡを密閉することができるものである。
【００６９】
ＲＦタグ１はふたＢの内部に内蔵され、電極２はふたＢの内部表面にコーティングされる。また、ビンＡの口の上面部には、導電体３の金属が円状にコーティングされる。
このことにより、導電体２が設けられる位置は、ふたＢがびんＡの口に最後までねじ込まれることで電極２ａと２ｂとの間を電気的に通電させる位置となっている。このため、ふたＢが最後までねじ込まれてビンＡを密閉している状態であるか否かを、ユーザはＲＦタグリーダ４により、非接触で遠隔位置から検出することができる。
【００７０】
本実施形態で用いられるＲＦタグ１の構成を図４に示す。
ＲＦタグ１は、ＲＦタグリーダ４からの電磁波によるアクセスに対する受信／応答送信を行うアンテナ１１と、アンテナ１１による応答送信を行うための送信部１２と、アンテナ１１による受信を行うための受信部１３と、ＲＦタグ１の動作全体を制御する制御部１４と、識別情報など各種情報を格納するメモリ１５と、非接触検出回路１６とを備えて構成される。
【００７１】
非接触検出回路１６は、電極２ａと２ｂとの間が導電体３を経由して通電される状態になっているか否かを検出する回路であり、導線を接続するための接続部１６ｂ（１６ｂ−１，１６ｂ−２）がＲＦタグ１外部に露出するよう設けられている。
電極２ａ、２ｂは、この接続部１６ｂ−１，１６ｂ−２に接続された導線の他端に接続されることにより、その導線を介して非接触検出回路１６の接続部１６ｂに接続される。
【００７２】
このように構成されることにより、ふたＢがビンＡの口に最後までねじ込まれている（しっかりと締まっている）ときには、電極２ａ，２ｂと導電体３とは接触した状態となる。この時にＲＦタグ１のアンテナ１１がＲＦタグリーダ４からの質問波（情報要求を行う質問用電磁波）を受信すると、非接触検出回路１６は、接続部１６ｂ−１，１６ｂ−２間が導電体３を経由して通電していると認識する。
【００７３】
逆に、ふたＢが緩んでいる、あるいはびんＡからとれているときには、電極２と導電体３とが非接触となる。この時にＲＦタグ１のアンテナ１１がＲＦタグリーダ４からの質問波を受信すると、非接触検出回路１６は、接続部１６ｂ−１，１６ｂ−２間が導電体３を経由して通電していないと認識する。
【００７４】
次に、本実施形態としての相対位置検出システムによる検出動作について、図５のフローチャートを参照して説明する。
アンテナ１１はＲＦタグリーダ４からの質問波を受信すると、受信内容を受信部１３に出力する（ステップＳ１）。受信部１３は、受信した信号の復調および復号化を行い、制御部１４に出力する。
【００７５】
また、質問波受信時には、アンテナ１１で発生する誘導電流により電源が確保され、地点１６ａに電圧Ｖccがかけられる。制御部１４は、受信データに応じてメモリ１５から本ＲＦタグ１の識別情報など応答送信に必要なデータを取り出す。
ＲＦタグリーダ４への応答送信に用いる送信データフォーマットには、非接触フラグのフィールドが用意されている。制御部１４は地点１６ｃの電圧を計測し、０ならば、非接触フラグを立て、Ｖccならば、非接触フラグを立てない。地点１６ｃの電圧は、接続部１６ｂ−１、１６ｂ−２間でＲＦタグの外部を経由して通電している場合にはＶccとなり、通電していない場合には０となる。
【００７６】
こうして非接触フラグの情報を確定すると（ステップＳ２）、制御部１４は、非接触フラグを書き込んだ送信データを送信部１２に出力する。送信部１２は送信データを変調してアンテナ１１に出力し、アンテナ１１はその変調されたデータを応答送信波として送出する。
【００７７】
すなわち、接続部１６ｂ−１、１６ｂ−２間で導電体３を経由して通電が行われている場合、地点１６ｃの電圧がＶccとなるため、制御部１４は非接触フラグを立てない応答送信データをアンテナ１１に送出させる（ステップＳ３）。この非接触フラグが立てられていない応答送信波を受信すると、ＲＦタグリーダ４は、応答送信波に含まれる識別番号であるＲＦタグ１が配設されたビンＡのふたＢは確実に締められている（最後までねじ込まれている）と判断する。
【００７８】
また、接続部１６ｂ−１、１６ｂ−２間で導電体３を経由して通電が行われていない場合、地点１６ｃの電圧が０となるため、制御部１４は非接触フラグを立てた応答送信データをアンテナ１１に送出させる（ステップＳ４）。この非接触フラグが立てられた応答送信波を受信すると、ＲＦタグリーダ４は、応答送信波に含まれる識別番号であるＲＦタグ１が配設されたビンＡのふたＢは緩んでいる（最後までねじ込まれていない）、またはふたＢが外れていると判断する。
【００７９】
以上のように、この第１の実施形態によれば、ふたＢが最後までねじ込まれてビンＡを密閉している状態であるか否かを、ユーザはＲＦタグリーダ４を用いるだけで、非接触で遠隔位置から検出することができる。
このため、多量のビンに対して、ふたが緩んでいないかどうかの検査を行う場合であっても、人の手でふたが締まっているかどうかを確認する手間を省くことができ、労力を大きく削減することができる。
このことにより、ふたの締め忘れや中途半端にしか閉まっていないといった事態を、少ない労力により回避することができる。
【００８０】
一般に、揮発性の高い薬品は、ふたが緩んでいると蒸発してしまう。また、劇薬の場合には、倒れてこぼれてしまった場合には危険でもある。このような危険を回避するためには、びんのふたが確実に締まっていることを確認することが重要である。
従来、びんのふたがしっかりしまっているかどうかは人の手や目視により確認する必要があり、特に確認する対象の数が多いときには、その手間は大きいものとなっていた。
本実施形態によれば、こうした確認の手間を大幅に削減することができる。
【００８１】
また、ＲＦタグは、小型で無線通信機能を持ち、電磁誘導により電源を確保するため、電源を持つ必要がなく、低価格でもあるといった特徴があるため、ビンの数が多い場合に１つ１つのビンそれぞれに配設してもあまりコスト高になることなく、上述した各効果を安価に実現することができる。
【００８２】
なお、上述した第１の実施形態では、ＲＦタグ１と、電極２と、導電体３との配置は図２、図３に示される位置として説明したが、ふたＢがビンＡの口に最後までねじ込まれた時に接続部１６ｂ−１、１６ｂ−２間で通電し、このことによりＲＦタグリーダ４に対してビンが密閉されていることを通知する応答送信を行うことができると共に、接続部１６ｂ−１、１６ｂ−２間で通電していない時に、ＲＦタグリーダ４に対してビンが密閉されていないことを通知する応答送信を行うことができる構成であれば、ＲＦタグ１と、電極２と、導電体３との配置は任意の配置であってよい。
【００８３】
例えば、図６、図７に示すように、電極２ａ，２ｂがふたＢの下端部に配設され、導電体３がびんＡの口の付け根にコーティングされる構成であってもよい。
このように配置することによれば、上述した第１の実施形態と同様の効果が得られると共に、ビンＡの中の液体が導電体３に触れる回数を減らすことができる。
【００８４】
また、図８に示すように、電極２ａ，２ｂがふたＢのねじ込み用凸部の最奥部に配設され、ふたＢがビンＡの口に最後までねじ込まれた時にびんＡのねじ込み用凸部におけるその電極２ａ，２ｂと接触する位置に、導電体３がコーティングされる構成であってもよい。
このように配置することによれば、上述した第１の実施形態と同様の効果が得られると共に、ビンＡの中の液体が導電体３に触れる回数を減らすことができる。
【００８５】
また、上述した第１の実施形態で、ＲＦタグ１および電極２がふたＢに配設され、導電体３がビンＡに配設されているのに替えて、図９、図１０に示すように、ＲＦタグ１および電極２をビンＡに配設し、導電体３をふたＢに配設する構成であってもよい。
この図９、図１０に示す構成では、ＲＦタグ１がびんＡの口に内蔵され、電極２はビンＡの口の上面部に配設されて導線を介してＲＦタグ１に接続され、導電体３の金属がふたＢの内部底面にコーティングされる。
このように配置することによっても、上述した第１の実施形態と同様の効果を得ることができる。
【００８６】
また、このようにＲＦタグ１および電極２をビンＡに配設し、導電体３をふたＢに配設する構成で、図６、図７に示すＲＦタグ１および電極２と、導電体３との配置を逆にし、電極２ａ，２ｂがびんＡの口の付け根に配設され、導電体３がふたＢの下端部にコーティングされる構成であってもよい。
このように配置することによれば、上述した第１の実施形態と同様の効果が得られると共に、ビンＡの中の液体が電極２に触れる回数を減らすことができる。
【００８７】
また、このようにＲＦタグ１および電極２をビンＡに配設し、導電体３をふたＢに配設する構成で、図８に示すＲＦタグ１および電極２と、導電体３との配置を逆にし、導電体３がふたＢのねじ込み用凸部の最奥部にコーティングされ、ふたＢがビンＡの口に最後までねじ込まれた時にびんＡのねじ込み用凸部におけるその導電体３と接触する位置に、電極２ａ，２ｂが配設される構成であってもよい。
このように配置することによれば、上述した第１の実施形態と同様の効果が得られると共に、ビンＡの中の液体が電極２に触れる回数を減らすことができる。
【００８８】
また、ＲＦタグ１をビンＡに配設する場合の内蔵場所についても、びんの口に限定されず、例えばびんＡの側面に内蔵することとしてもよい。
【００８９】
〔第２の実施形態〕
次に、本発明の第２の実施形態について説明する。この第２の実施形態は、上述した第１の実施形態の機能に加え、ＲＦタグが非通電状態になった回数を記録する機能も備えるようにしたものである。
上述した第１の実施形態と同様の構成については同符号とし、説明を省略する。
【００９０】
第２の実施形態におけるＲＦタグ５は、上述した第１の実施形態の構成に加え、図１１に示すように、電源５７をさらに備えたアクティブタイプのものである。
このことにより、制御部５４は、上述した第１の実施形態と同様の機能に加え、ふたＢがビンＡの口に最後までねじ込まれた状態からゆるめられた回数をカウントし、その回数をメモリ５５に格納する機能をさらに備える。
また、メモリ５５には、上述した第１の実施形態と同様の領域に加え、接続部１６ｂ−１、１６ｂ−２間における通電状態から非通電状態になった回数を制御部５４により記録されるカウント領域が設けられている。
【００９１】
本実施形態におけるＲＦタグ５の動作について、図１２のフローチャートを参照して説明する。
メモリ５５の上述したカウント領域には、初期値として０が代入されている。
ビンＡのふたＢが緩められると、内蔵の電源５７からの電源供給により上述した第１の実施形態と同様の動作を行うことにより、接続部１６ｂ−１、１６ｂ−２間で導電体３を経由して通電されている通電状態から非通電状態になったことを検出する（ステップＳ１１）。
こうして通電状態から非通電状態になったことが検出されると、制御部５４は、カウント領域内のカウント数（ｃｏｕｎｔ）に１を加える（ステップＳ１２）。
【００９２】
アンテナ１１がＲＦタグリーダ４から質問波を受信すると（ステップＳ１３）、制御部５４はメモリ５５から、上述した第１の実施形態と同様のデータに加えてカウント領域のカウント数を取り出し、ＲＦタグリーダ４への応答送信データにそのカウント数を含めてアンテナ１１に応答送信させる（ステップＳ１４）。
【００９３】
この第２の実施形態によれば、上述した第１の実施形態で得られる効果に加え、検査対象であるビンがこれまで何回開けられたかというカウント数を、ユーザはＲＦタグリーダ４により非接触で遠隔位置から取得することができる。
このため、検査対象であるビンがこれまで何回開けられているかという履歴の管理をも行うことができる。
【００９４】
なお、本実施形態では、制御部５４が通電状態から非通電状態になった回数をカウントすることとして説明したが、このカウントは非通電状態になった回数に限定されず、通電状態と非通電状態とが切り換えられた回数をカウントすることとしてもよい。
このことによれば、通電状態と非通電状態とがこれまで何回切り換えられたかという履歴の管理を行うことができる。
【００９５】
〔第３の実施形態〕
次に、本発明の第３の実施形態について説明する。この第３の実施形態は、上述した第２の実施形態の機能に加え、ＲＦタグが非通電状態になった時刻を記録する機能も備えるようにしたものである。
上述した第２の実施形態と同様の構成については同符号とし、説明を省略する。
【００９６】
第３の実施形態におけるＲＦタグ６は、上述した第２の実施形態の構成に加え、図１３に示すようにクロック６８を備え、制御部６４が非通電状態になった時刻を取得できるようになっている。
このＲＦタグ６は、上述した第２の実施形態と同様に、電源５７を備えたアクティブタイプのものであり、この電源５７によりクロックは常時動作する。
また、メモリ６５には、上述した第２の実施形態と同様の領域に加え、接続部１６ｂ−１、１６ｂ−２間における通電状態から非通電状態になった時刻を制御部５４により記録されるリスト領域が設けられている。
【００９７】
次に、本実施形態におけるＲＦタグ６の動作について、図１４のフローチャートを参照して説明する。
メモリ６５の上述したリスト領域は、初期状態では空である。
ビンＡのふたＢが緩められると、内蔵の電源５７からの電源供給により上述した第２の実施形態と同様の動作を行うことにより、接続部１６ｂ−１、１６ｂ−２間で導電体３を経由して通電されている通電状態から非通電状態になったことを検出する（ステップＳ２１）。
こうして通電状態から非通電状態になったことが検出されると、制御部５４は、カウント領域内のカウント数（ｃｏｕｎｔ）に１を加えると共に、リスト領域にそのカウント数に関連付けてその時点の時刻をエントリーとして登録する（ステップＳ２２）。
【００９８】
アンテナ１１がＲＦタグリーダ４から質問波を受信すると（ステップＳ２３）、制御部６４はメモリ６５から、上述した第１の実施形態と同様のデータに加えてカウント領域のカウント数およびリスト領域の時刻を取り出し、ＲＦタグリーダ４への応答送信データにそのカウント数と、各カウントに関連付けられた時刻情報とを含めてアンテナ１１に応答送信させる（ステップＳ２４）。
【００９９】
このように、本実施形態では、上述のようにクロック６８から時刻を取得して制御部１４がリスト領域に登録することで、通電状態から非通電状態になった時点の時刻を登録する時刻登録手段として機能する。
【０１００】
この第３の実施形態によれば、上述した第２の実施形態で得られる効果に加え、検査対象であるビンがこれまでに開けられた時刻を、ユーザはＲＦタグリーダ４により非接触で遠隔位置から取得することができる。
このため、検査対象であるビンがこれまでに開けられた時刻による履歴の管理をも行うことができる。
【０１０１】
なお、本実施形態では、制御部６４が通電状態から非通電状態になった時刻を登録することとして説明したが、この時刻は非通電状態になった時点のものに限定されず、通電状態と非通電状態とが切り換えられた時刻を登録することとしてもよい。
このことによれば、通電状態と非通電状態とがこれまでに切り換えられた時刻による履歴の管理を行うことができる。
【０１０２】
〔各実施形態について〕
なお、上述した各実施形態は本発明の好適な実施形態であり、本発明はこれに限定されることなく、本発明の技術的思想に基づいて種々変形して実施することが可能である。
例えば、上述した各実施形態では、アンテナ１１はＲＦタグに内蔵されているが、外付けであってもよい。
【０１０３】
また、電極２、電極２を接続部１６ｂに接続させる導線、および導電体３は、例えば鉄、銅といった金属やその合金など、各種の材料であってよい。
【０１０４】
また、上述した各実施形態ではビンのふたがねじ込み式であることとして説明したが、ビンのふたがねじ込み式でない場合であっても、ビン内部が完全に外部から遮蔽された状態となった時に導電体３を経由して２つの電極間が通電されるよう構成されていれば、ＲＦタグ１と、電極２と、導電体３それぞれの配置の仕方は、ビンやふたの形状や仕様に応じて各種のものであってよい。
【０１０５】
また、接触しているか否かの検出は、２つの電極間が導電体を経由して通電するか否かにより行われることとして説明したが、電極は複数であればいくつであってもよい。その場合、少なくとも２つの電極の間で通電が行われた時に接触を検出することとしてもよく、複数の端子部全ての間で相互に通電が行われた時に接触を検出することとしてもよい。
【０１０６】
また、上述した各実施形態では、各実施形態としての相対位置検出システムによる検査対象をビンとふたの組み合わせとして説明したが、容器本体とその容器本体を密閉させる密閉手段との組み合わせであればこの組み合わせに限定されず、例えばポリ容器とふたなどの組み合わせであっても本発明は同様に適用できる。
また、容器本体の形状についても、容器本体とその容器本体を密閉させる密閉手段との組み合わせにより構成されていれば上述した各実施形態に示す円筒状のものに限定されず、四角柱状や多角柱状、多面体状など任意の形状であってよい。
【０１０７】
また、上述した各実施形態では、各実施形態としての相対位置検出システムによる検査対象を密閉容器とふたとして説明したが、第１の構造体と第２の構造体とが組み合わされてなる空間のある構造体で、その第１の構造体と第２の構造体とで一方が他方の内部を外部から遮蔽する閉状態と、遮蔽しない開状態とをとりうる物体であれば密閉容器に限定されず、任意の物体に配設されることとしても同様に実現することができる。
【０１０８】
こうした検査対象の一例として、例えば図１５に示すように、本発明は箱の開閉検出にも同様に適用することができる。
この図１５に示す例では、箱のふたが完全に閉じられるときに最後に箱本体に触れる位置に導電体３がコーティングされ、そのふたが閉じられて箱内部が外部から遮蔽されたときにその導電体３に接触する位置に電極２ａ，２ｂが配設され、その電極２ａ，２ｂに導線を介して接続されてＲＦタグが設けられている。
【０１０９】
この場合、図１５（ａ）に示されるようなふたが閉じられた閉状態（箱内部が外部から遮蔽された状態）では、電極２ａ、２ｂ間が導電体３を経由して通電され、このことにより上述のようにしてＲＦタグは箱本体とふたとの相対位置が閉状態であると検出する。
すなわち、ＲＦタグのアンテナ１１がＲＦタグリーダ４からの質問波を受信すると、ＲＦタグの制御部は、電極２ａ、２ｂ間が導電体３を経由して通電されている旨を通知する応答送信データをアンテナ１１に送出させる。
【０１１０】
また、図１５（ｂ）に示されるようなふたが開いている開状態（箱内部が外部から遮蔽されていない状態）では、電極２ａ、２ｂ間が導電体３を経由して通電されないため、このことにより上述のようにしてＲＦタグは箱本体とふたとの相対位置が開状態であると検出する。
すなわち、ＲＦタグのアンテナ１１がＲＦタグリーダ４からの質問波を受信すると、ＲＦタグの制御部は、電極２ａ、２ｂ間が導電体３を経由して通電されていない旨を通知する応答送信データをアンテナ１１に送出させる。
【０１１１】
このように、本発明に係る相対位置検出システムを箱に適用した構成によれば、箱のふたがきちんと閉じられて箱内部が外部から遮蔽された状態であるかどうかを、ユーザはＲＦタグリーダ４により非接触で簡単に検査することができ、その検査にかかる手間を大きく軽減することができる。
なお、図１５に示すＲＦタグは、上述した各実施形態のＲＦタグ１，５，６の何れであってもよい。
【０１１２】
また、こうした検査対象の一例として、例えば図１６に示すように、本発明はドアの開閉検出にも同様に適用することができる。
この図１６に示す例では、ドアが完全に閉じられたときにそのドアに触れる位置のドア枠に導電体３がコーティングされ、そのドアが閉じられてドアより内側の空間が外部から遮蔽されたときにその導電体３に接触する位置に電極２ａ，２ｂが配設され、その電極２ａ，２ｂに導線を介して接続されてＲＦタグが設けられている。
【０１１３】
この場合、図１６（ａ）に示されるようなドアが閉じられた閉状態（ドアより内側の空間が外部から遮蔽された状態）では、電極２ａ、２ｂ間が導電体３を経由して通電され、このことにより上述のようにしてＲＦタグはドアとドア枠との相対位置が閉状態であると検出する。
すなわち、ＲＦタグのアンテナ１１がＲＦタグリーダ４からの質問波を受信すると、ＲＦタグの制御部は、電極２ａ、２ｂ間が導電体３を経由して通電されている旨を通知する応答送信データをアンテナ１１に送出させる。
【０１１４】
また、図１５（ｂ）に示されるようなドアが開いている開状態（ドアより内側の空間が外部から遮蔽されていない状態）では、電極２ａ、２ｂ間が導電体３を経由して通電されないため、このことにより上述のようにしてＲＦタグはドアとドア枠との相対位置が開状態であると検出する。
すなわち、ＲＦタグのアンテナ１１がＲＦタグリーダ４からの質問波を受信すると、ＲＦタグの制御部は、電極２ａ、２ｂ間が導電体３を経由して通電されていない旨を通知する応答送信データをアンテナ１１に送出させる。
【０１１５】
このように、本発明に係る相対位置検出システムをドアに適用した構成によれば、ドアがきちんと閉じられてドアより内側の空間が外部から遮蔽された状態であるかどうかを、ユーザはＲＦタグリーダ４により非接触で簡単に検査することができ、その検査にかかる手間を大きく軽減することができる。
なお、図１６に示すＲＦタグは、上述した各実施形態のＲＦタグ１，５，６の何れであってもよい。
【０１１６】
また、図１６ではこうした検査対象の一例として、本発明をドアの開閉検出に適用した場合の例について説明したが、図１６に示すドアとドア枠に替えて、窓と窓枠とした構成であっても、本発明は同様に適用することができる。
【０１１７】
また、上述した各実施形態では、相対位置検出システムにおけるＩＣタグとしてＲＦタグ（ＲＦＩＤ）を用いることとして説明したが、リーダ装置から電磁波により非接触状態で遠隔位置から密閉状態であるか否かを検出可能なものであればこのものに限定されず、他の種類のＩＣタグであってもよい。
【図面の簡単な説明】
【０１１８】
【図１】本発明の第１の実施形態としての相対位置検出システムとＲＦタグリーダ４との使用例を示す図である。
【図２】第１の実施形態におけるＲＦタグ１と電極２が設けられたふたＢの（ａ）縦断面図、（ｂ）ふたの口側から見た図、である。
【図３】第１の実施形態における導電体３が設けられたビンＡの口の（ａ）横から見た図、（ｂ）斜めから見た図、である。
【図４】第１の実施形態におけるＲＦタグ１の構成を示すブロック図である。
【図５】第１の実施形態としての相対位置検出システムによる検出動作を示すフローチャートである。
【図６】第１の実施形態としての相対位置検出システムの他の配置例〈１〉によるふたＢの（ａ）縦断面図、（ｂ）ふたの口側から見た図、である。
【図７】該配置例によるビンＡの口の（ａ）横から見た図、（ｂ）斜めから見た図、である。
【図８】第１の実施形態としての相対位置検出システムの他の配置例〈２〉を示す図である。
【図９】第１の実施形態としての相対位置検出システムの他の配置例〈３〉によるふたＢの口側から見た図と縦断面図である。
【図１０】該配置例によるビンＡの口の（ａ）横から見た状態を模式的に示す図、（ｂ）斜めから見た図、である。
【図１１】第２の実施形態におけるＲＦタグ５の構成を示すブロック図である。
【図１２】第２の実施形態としての相対位置検出システムによる検出動作を示すフローチャートである。
【図１３】第３の実施形態におけるＲＦタグ６の構成を示すブロック図である。
【図１４】第３の実施形態としての相対位置検出システムによる検出動作を示すフローチャートである。
【図１５】本発明を箱に適用した場合の実施形態における（ａ）閉状態、（ｂ）開状態、を示す図である。
【図１６】本発明をドアに適用した場合の実施形態における（ａ）閉状態、（ｂ）開状態、を示す図である。
【符号の説明】
【０１１９】
１、５、６    ＲＦタグ（ＩＣタグの一例）
１１    アンテナ
１２    送信部
１３    受信部
１４    制御部
１５    メモリ
１６    非接触検出回路
１６ｂ（１６ｂ−１，１６ｂ−２）    接続部
５７    電源
６８    クロック
２（２ａ，２ｂ）    電極（端子部の一例）
３    導電体
【図１】
2006139593.tif 000003
【図２】
2006139593.tif 000004
【図３】
2006139593.tif 000005
【図４】
2006139593.tif 000006
【図５】
2006139593.tif 000007
【図６】
2006139593.tif 000008
【図７】
2006139593.tif 000009
【図８】
2006139593.tif 000010
【図９】
2006139593.tif 000011
【図１０】
2006139593.tif 000012
【図１１】
2006139593.tif 000013
【図１２】
2006139593.tif 000014
【図１３】
2006139593.tif 000015
【図１４】
2006139593.tif 000016
【図１５】
2006139593.tif 000017
【図１６】
2006139593.tif 000018